(57)【特許請求の範囲】
【請求項１】
周壁１下面を底壁で閉塞した容器体Ａと、
容器体底部へ回動不能に固着させた基筒Ｂと、
基筒内面へ上方付勢させて回動自在に嵌合させた下面閉塞の支持皿Ｃと、
支持皿底部へ回動不能に固着させた化粧用固形パウダ入り中皿Ｄと、
中皿内面へ回動自在に嵌合可能な周壁を有し、該周壁下面を閉塞する底板１１径方向に複数の細長孔１２を穿設し、該細長孔の回動方向後縁に、上方付勢された化粧用固形パウダ９に圧接するカッタを取り付けたカッタ付き回動ドラムＥと、
枠体１４を、該枠体周縁部が容器体Ａ周壁上面へ当接可能に容器体周壁へ枢着させると共に、枠体１４が中央部に形成する枠孔１５内面に係合突条１６を周設した中枠Ｆと、
下筒部外面に、該下筒部の弾性変形により上記中枠Ｆの係合突条１６に回動自在に係合する係合溝１８を周設すると共に、上端を上記カッタ付き回転ドラムＥ周壁上端へ固着させた弾性連結筒Ｇと、
容器体Ａ周壁の上端外面へ嵌合自在な蓋体Ｈとを有し、
上記基筒Ｂ周壁又は支持皿Ｃ周壁の一方に係合ピン６を、また他方に該係合ピンが上下動自在に係合する軸方向の縦長孔４又は縦長溝と該縦長孔又は縦長溝下部から周方向に伸びて係合ピン６が上下動不能に係合する横孔５又は横溝とを、それぞれ形成したこと、
を特徴とする化粧用コンパクト容器。
【請求項２】
周壁１下面を底壁で閉塞すると共に、周壁内面に抜出し阻止溝２２を形成した容器体Ｉと、
容器体Ｉ底部へ回動不能に載置させ、かつ上端から突設した外向きフランジに回動制限長孔２３を穿設した基筒Ｊと、
基筒Ｊ内面へ上方付勢させて回動不能に、かつ上下動自在に嵌合させた下面閉塞の支持皿Ｋと、
支持皿Ｋ底部へ回動不能に固着させた化粧用固形パウダ入り中皿Ｌと、
中皿Ｌ内面へ回動自在に嵌合可能な周壁を有し、該周壁下面を閉塞する底板１１径方向に複数の細長孔１２を穿設し、該細長孔の回動方向後縁に、上方付勢された化粧用固形パウダ９に圧接するカッタを取り付けたカッタ付き回動ドラムＭと、
容器体Ｉ周壁上面へ載置させた枠体２７下面から、上記基筒Ｊの回動制限長孔２３に係合し、かつ該回動制限長孔を貫通して上記容器体Ｉの抜出し阻止溝２２に回動自在に係合させた係合脚３１を突設し、さらに枠体２７が中央部に形成する枠孔２８内面に係合突条２９を周設した中枠Ｏと、
下筒部外面に、該下筒部の弾性変形により上記中枠Ｏの係合突条２９に回動自在に係合する係合溝１８を周設すると共に、上端を上記カッタ付き回動ドラムＭ周壁上端へ固着させた弾性変形自在な弾性連結筒Ｐと、
容器体周壁の上端外面へ嵌合自在な蓋体Ｑとを有すること、
を特徴とする化粧用コンパクト容器。
【発明の詳細な説明】
【０００１】
【発明の属する技術分野】
本発明は化粧用コンパクト容器に関する。
【０００２】
【従来の技術】
化粧用コンパクト容器には粉末パウダを収納したものがあるが、粉末パウダは蓋と容器体との隙間から容器外に漏出し易い等の欠点があることから、実開平５−３１７０９号、実開平６−４８５０９号等にみられるように固形パウダが多く用いられている。
【０００３】
【発明が解決しようとする課題】
固形パウダの場合は、パフをこれに擦りつけるようにして付着させるため、付着量を任意に調節することが困難であり、したがって十分な付着量が得られないか、または過剰に付着することがあった。
【０００４】
請求項１記載の化粧用コンパクト容器は、基筒周壁又は支持皿周壁の一方に係合ピンを、また他方に該係合ピンが係合自在な軸方向及び周方向の孔又は溝を設けて支持皿の回り止めのための係合ピンを支持皿の上昇抑えに利用すると共に、カッタ付き回動ドラムの回動により上昇抑え位置に位置する係合ピンの係合を自動的に解除させるようにして化粧用固形パウダ入り中皿の交換に伴う操作を簡素な構成により容易にしようとするものである。
【０００５】
請求項２記載の化粧用コンパクト容器は、請求項１記載の化粧用コンパクト容器が有する解決課題を有するほか、基筒に回動制限長孔を形成すると共に、カッタ付き回動ドラムを支持する中枠に形成した係合脚を回動制限長孔へ係合自在とし、該係合脚の係合及び係合解除により中枠の装着・離脱を可能とすることにより、簡素な構成により化粧用パウダ入り中皿の交換を容易にしようとするものである。
【０００６】
請求項１及び２記載の化粧用コンパクト容器は、化粧用固形パウダを削るためのカッタを有する回動自在なカッタ付き回動ドラムを容器内に設けることにより、化粧用固形パウダの所要量だけの粉末化を可能として適当量のパウダをパフに付着させ得るようにするものである。
また、中皿を上方付勢することにより、パウダ消費に起因するパウダ上面の低下にもかかわらず常時パウダ上面がカッタに所定の押付け力をもって押し当てられるようにしてパウダがほぼ一定の割合で確実に削られるようにするものである。
【０００７】
【課題を解決するための手段】
第１の手段として、周壁１下面を底壁で閉塞した容器体Ａと、
容器体底部へ回動不能に固着させた基筒Ｂと、
基筒内面へ上方付勢させて回動自在に嵌合させた下面閉塞の支持皿Ｃと、
支持皿底部へ回動不能に固着させた化粧用固形パウダ入り中皿Ｄと、
中皿内面へ回動自在に嵌合可能な周壁を有し、該周壁下面を閉塞する底板１１径方向に複数の細長孔１２を穿設し、該細長孔の回動方向後縁に、上方付勢された化粧用固形パウダ９に圧接するカッタを取り付けたカッタ付き回動ドラムＥと、
枠体１４を、該枠体周縁部が容器体Ａ周壁上面へ当接可能に容器体周壁へ枢着させると共に、枠体１４が中央部に形成する枠孔１５内面に係合突条１６を周設した中枠Ｆと、
下筒部外面に、該下筒部の弾性変形により上記中枠Ｆの係合突条１６に回動自在に係合する係合溝１８を周設すると共に、上端を上記カッタ付き回転ドラムＥ周壁上端へ固着させた弾性連結筒Ｇと、
容器体Ａ周壁の上端外面へ嵌合自在な蓋体Ｈとを有し、
上記基筒Ｂ周壁又は支持皿Ｃ周壁の一方に係合ピン６を、また他方に該係合ピンが上下動自在に係合する軸方向の縦長孔４又は縦長溝と該縦長孔又は縦長溝下部から周方向に伸びて係合ピン６が上下動不能に係合する横孔５又は横溝とを、それぞれ形成した。
【０００８】
第２の手段として、上記第１の手段を有すると共に、周壁１下面を底壁で閉塞すると共に、周壁内面に抜出し阻止溝２２を形成した容器体Ｉと、
容器体Ｉ底部へ回動不能に載置させ、かつ上端から突設した外向きフランジに回動制限長孔２３を穿設した基筒Ｊと、
基筒Ｊ内面へ上方付勢させて回動不能に、かつ上下動自在に嵌合させた下面閉塞の支持皿Ｋと、
支持皿Ｋ底部へ回動不能に固着させた化粧用固形パウダ入り中皿Ｌと、
中皿Ｌ内面へ回動自在に嵌合可能な周壁を有し、該周壁下面を閉塞する底板１１径方向に複数の細長孔１２を穿設し、該細長孔の回動方向後縁に、上方付勢された化粧用固形パウダ９に圧接するカッタを取り付けたカッタ付き回動ドラムＭと、
容器体Ｉ周壁上面へ載置させた枠体２７下面から、上記基筒Ｊの回動制限長孔２３に係合し、かつ該回動制限長孔を貫通して上記容器体Ｉの抜出し阻止溝２２に回動自在に係合する係合脚３１を突設し、さらに枠体２７が中央部に形成する枠孔２８内面に係合突条２９を周設した中枠Ｏと、
下筒部外面に、該下筒部の弾性変形により上記中枠Ｏの係合突条２９に回動自在に係合する係合溝１８を周設すると共に、上端を上記カッタ付き回動ドラムＭ周壁上端へ固着させた弾性変形自在な弾性連結筒Ｐと、
容器体周壁の上端外面へ嵌合自在な蓋体Ｑとを有する。
【０００９】
【発明の実施の形態】
以下、本発明に係る化粧用コンパクト容器の実施形態を図面を参照しながら説明する。図１乃至図４は請求項１記載の化粧用コンパクト容器（以下、第１実施形態という。）を示すもので、該化粧用コンパクト容器は、容器体、基筒、支持皿、中皿、カッタ付き回動ドラム、中枠、弾性連結筒及び蓋体を主要部材とする。以下、これらについて順次説明する。
【００１０】
Ａは容器体で、周壁１下面を底壁で閉塞し、さらに該周壁正面の中央部を背面方向へ凹設してその凹部の上端外面に横断面三角形状の係合突起２を突設すると共に、上端内面に係合突起２と同一形状の図示しない係合突起を突設し、さらに、周壁背面の中央部を正面方向へ凹設してその凹部内に回動軸３を設けている。
【００１１】
Ｂは基筒で、円筒状の周壁を有し、該周壁下端を容器体Ａ底壁の中央部に形成した溝に固着させている。また、基筒周壁には軸方向に伸びる縦長孔４を穿設している。該縦長孔の下面は基筒周壁の下面に達すると共に、縦長孔上面は基筒周壁の上端部に達している。さらに、縦長孔４下端から、図２において反時計方向に伸びる横孔５を穿設する。このような一組の縦長孔４と横孔５を、基筒周壁の複数箇所に、好ましくは３箇所に等間隔で形成する。
なお、縦長孔４及び横孔５の代わりに溝で形成した縦長溝及び横溝を採用することも可能である。
【００１２】
Ｃは支持皿で、円筒状の周壁下面を底壁で閉塞し、基筒Ｂ内面へ回動自在に嵌合させている。周壁下端外面から係合ピン６を突設し、該係合ピンを縦長孔４へ上下動自在かつ回動不能に係合させている。係合ピン６は、支持皿Ｃの反時計方向への回動により横孔５へ係合可能である。
【００１３】
なお、上記では基筒Ｂに縦長孔４及び横孔５を、また支持皿Ｃに係合ピン６を、それぞれ形成しているが、これに限らず基筒Ｂに係合ピン６を、また支持皿Ｃに縦長孔４及び横孔５を、それぞれ形成することも可能である。
【００１４】
基筒Ｂ底面上に付勢バネ７を配設し、該付勢バネによって支持皿Ｃを上方付勢させる。付勢バネ７としては、図３に示すように環状板の外縁の４箇所から周方向に伸びる長板を上方へ向けて突設した金属板バネや、図４に示すような截頭円錐形状のコイルスプリングを使用する。
支持皿Ｃ周壁のＵ字形状の切除部８は、後述する中皿Ｄの周壁を支持皿Ｃから露出させて中皿Ｄをつかみ易くさせるためのものである。
【００１５】
Ｄは中皿で、周壁下面を底壁で閉塞して化粧用固形パウダ９を収納しており、支持皿Ｃ底壁上面へ糊１０を塗布することにより回動不能に支持皿Ｃ内面へ嵌着させている。
【００１６】
Ｅはカッタ付き回動ドラムで、円筒状の周壁下面を閉塞する底板１１に、複数の細長孔１２を径方向に穿設し、該細長孔の回動方向後縁に図示しないカッタを取り付けると共に、周壁上端から外向きフランジを突設する。この回動ドラムＥは中皿Ｄ内面へ回動自在に嵌合可能で、その底板１１上にはパフ１３を載置させている。
【００１７】
Ｆは中枠で、矩形状の枠体１４を有し、該枠体は中央部に枠孔１５を形成する。該枠孔は内面に係合突条１６を周設する。該係合突条上面は下内方へ傾斜すると共に、枠体上面へ連設する。枠体１４外周端の正面中央部は、容器体Ａ凹部の上面形状に一致させて切除され、かつ該切除部の背面側の後縁下面に、容器体Ａの図示しない係合突起に係合自在な突部１７を形成し、さらに枠体１４外周端の背面側を除く部分の板厚を薄くして形成した段部１４ａを容器体Ａ上端内面へ嵌合可能としている。また、枠体１４の背面中央部にＬ字形状のヒンジを取り付け、該ヒンジを回動軸３に軸支させている。
【００１８】
Ｇは弾性連結筒で、円筒状の下筒部外面に係合溝１８を形成すると共に、筒部下端に下内方に傾斜する傾斜面を形成する。筒部上端から内向きフランジを突設し、該内向きフランジ下面から複数の嵌合軸１９を突設する。そして、該嵌合軸をカッタ付き回動ドラムＥの外向きフランジに形成した嵌合孔に嵌合させることにより弾性連結筒Ｇをカッタ付き回動ドラムＥに連結させる。
【００１９】
弾性連結筒Ｇを中枠Ｆの上方から押し付けると、連結筒Ｇ筒部下端の傾斜面が係合突条１６上面を押圧することによって連結筒Ｇ下筒部が内方へ弾性変形する。そして、連結筒Ｇ筒部下端の傾斜面が係合突条１６上面を通過すると、連結筒Ｇ下筒部が外方へ弾性変形して元の形状に復帰し、係合突条１６が係合溝１８に回動自在に係合する。
【００２０】
Ｈは蓋体で、周壁上面を頂壁で閉塞し、かつ周壁正面の中央部内面に容器体Ａの係合突起２に係合自在な係合突部２０を形成する。周壁背面からＬ字形状のヒンジを延出し、該ヒンジ下端を回動軸３に軸支させている。また、頂壁下面に鏡２１を固着させている。
【００２１】
次に本実施形態の作用について説明する。
使用に際しては、弾性連結筒Ｇの筒部上端部外面をもって該弾性連結筒を時計方向へ回動させればよく、するとカッタ付き回動ドラムＥが回動しカッタが化粧用固形パウダ９を削って粉末化する。粉末化したパウダはカッタにより細長孔１２から底板１１上へすくい上げられ、パフ１３全面にほぼまんべんなく付着する。
【００２２】
化粧用固形パウダ９が消費されるとその上面が低下するが、中皿Ｄは支持皿Ｃを介して上方付勢されているから、化粧用固形パウダ９はその消費にもかかわらず常にカッタに圧接した状態にある。
化粧用固形パウダ９が費消されて中皿Ｄの交換が必要になった場合には、中枠Ｆを上方へ回動させて支持皿Ｃ内から中皿Ｄを取り出せばよく、この時には支持皿Ｃは図２に示すように上昇してその底部が基筒Ｂ上端部に位置しているから、中皿Ｄの取り出しは容易である。
【００２３】
次いで、新しい中皿Ｄを支持皿Ｃ底部へ糊１０による接着を利用して回動不能に固着させた後、支持皿Ｃを付勢バネ７の付勢力に抗して押し下げればよく、すると係合ピン６が縦長孔４内を下降して縦長孔下端に達する。さらに、ここから支持皿Ｃを図２において反時計方向へ回動させることにより、係合ピン６を横孔５に係合させて支持皿Ｃを図１に示すように最下降位置に固定した後、中枠Ｆを下方へ回動させて容器体Ａへ係合させる。
【００２４】
中皿Ｄの交換後、使用する場合は、上記同様に弾性連結筒Ｇを介してカッタ付き回動ドラムＥを図２において時計方向へ回動させればよく、すると中皿Ｄを介して支持皿Ｃも同様に時計方向へ回動し、これと共に係合ピン６も時計方向へ回動して横孔５から離脱し縦長孔４下端に位置するため、支持皿Ｃは上下動可能な状態となり、したがって化粧用固形パウダ９は支持皿Ｃを介した付勢バネ７の付勢力により常にカッタに圧接させられることとなる。
なお、使用後は蓋体Ｈを下方へ回動させて容器体Ａへ係合させておく。
【００２５】
図５及び図６は請求項２記載の化粧用コンパクト容器を示すもので、次にこれについて説明する。該化粧用コンパクト容器は、容器体、基筒、支持皿、中皿、カッタ付き回動ドラム、中枠、弾性連結筒及び蓋体を主要部材とする。以下、これらについて順次説明する。
【００２６】
Ｉは容器体で、該容器体は周壁１上端内面を大内径部として段部１ａを形成すると共に、該段部より下方周壁部分内面に周方向に伸びる抜出し阻止溝２２を形成している点で第１実施形態の容器体と異なっているが、その他の構成は実質的に第１実施形態と同一構成であるから、重複を避けるため図面に同一符号を付してその説明を省略する。
【００２７】
Ｊは基筒で、円筒状の上下面開放の周壁を有し、かつ該周壁を容器体Ｉ底部へ載置させている。基筒Ｊはその周壁上端から外向きフランジを突設し、該外向きフランジ外周端を容器体段部１ａ上に載置させると共に、該外向きフランジ外周端の正面部分と背面部分とのそれぞれを切り欠いて該切欠部１ｂを、容器体周壁の正面部及び背面部に形成した凹部内面へ係合させることによって容器体Ｉに対し回動不能となっている。
【００２８】
また、上記外向きフランジに周方向へ伸びる回動制限長孔２３を穿設する。該回動制限長孔は時計方向前部が後部よりも幅が狭く、狭幅部と広幅部との境界に第１係合段部２４を形成する。該回動制限長孔２３は軸対象の位置に一組形成する。
【００２９】
さらに、基筒Ｊ周壁に軸方向に伸びる縦長孔２５を穿設する。該縦長孔の下面は基筒周壁の下面に達すると共に、縦長孔上面は基筒Ｊ周壁の上端に達する。このような縦長孔２５を、基筒Ｊ周壁の複数箇所に、好ましくは３箇所に等間隔で形成する。縦長孔２５の代わりに溝で形成した縦長溝を採用することも可能である。
さらに、基筒Ｊ周壁と外向きフランジとの境界部を彎曲状に凹設して一組の凹部２６を軸対象の位置に形成する。
【００３０】
Ｋは基筒Ｊ内面へ上下動自在に嵌合させた支持皿で、該支持皿は第１実施形態の支持皿Ｃと同一構成であるから、図面に第１実施形態と同一の符号を付してその説明を省略する。ただし、基筒Ｊ周壁には第１実施形態のように横孔５を形成しないので、係合ピン６を横孔へ係合させるために支持皿Ｋを回動させることはない。
【００３１】
なお、上記では基筒Ｊに縦長孔２５を、また支持皿Ｋに係合ピン６を、それぞれ形成しているが、これに限らず基筒Ｊに係合ピン６を、また支持皿Ｋに縦長孔２５を、それぞれ形成することが可能であること第１実施形態と同様である。
また、支持皿Ｋを上方付勢する付勢バネ７の構成も第１実施形態と同様であるから、図面に同一符号を付してその説明を省略する。
なお、支持皿Ｋ周壁のＵ字形状の切除部８は、基筒Ｊの凹部２６に対向させて配置する。
【００３２】
Ｌは支持皿Ｋ内面へ嵌着させた中皿で、該中皿は第１実施形態の中皿Ｄと同一構成であるから、図面に同一符号を付してその説明を省略する。
【００３３】
Ｍはカッタ付き回動ドラムで、該カッタ付き回動ドラムは第１実施形態のカッタ付き回動ドラムＥと同一構成であるから、図面に同一符号を付してその説明を省略する。
【００３４】
Ｏは中枠で、円形状の枠体２７を有し、該枠体は中央部に枠孔２８を形成する。該枠孔は内面上端から小内径の短筒２９を突設する。該短筒は係合突条を形成する。
また、枠体２７外周端を薄肉に形成し、該薄肉部を容器体周壁１の上面ヘ載置させると共に、該薄肉部の正面部分と背面部分とのそれぞれを切除してそれぞれの切除部分の両端にボス３０を突設して容器体Ｉ凹部の上面に載置させる。
さらに、枠体２７下面の内周端から係合脚３１を、回動制限長孔２３と同数だけ垂設する。該係合脚は時計方向前部脚部分３１ａと後部脚部分３１ｂとを形成し、これらの境界に第１係合段部２４に係合自在な第２係合段部３２を形成する。
【００３５】
係合脚３１は回動制限長孔２３の広幅部を貫通自在で、かつ図５に明示するように、前部脚部分３１ａは下端外面に、抜出し阻止溝２２へ係合自在な係合突部を有する。
【００３６】
上記の如く構成した中枠Ｏを基筒Ｊに取り付けるには、係合脚３１を回動制限長孔２３の広幅部に挿通させた後、中枠Ｏを時計方向へ回動させればよく、すると前部脚部分３１ａが回動制限長孔２３の狭幅部内に入ると共に、前部脚部分３１ａ下端の係合突部が抜出し阻止溝２２に係合し、さらに中枠Ｏを回動させると第２係合段部３２が第１係合段部２４に係合する。
このように係合突部が抜出し阻止溝２２に係合することにより中枠Ｏの基筒Ｊからの抜出しが阻止され、また第２係合段部３２が第１係合段部２４に係合することにより中枠Ｏの時計方向への回動が阻止される。
【００３７】
Ｐは弾性連結筒で、下筒部の構成において第１実施形態と異なっているのみで、その他の構成は同一であるから相違点のみについて説明する。すなわち、本実施形態では、筒部下端は第１実施形態におけるように傾斜することなく水平面を形成する点で相違するが、第１実施形態とほぼ同様の作用効果が得られる。
【００３８】
Ｑは容器体Ｉに枢着させた蓋体で、該蓋体は第１実施形態と同一構成であるから、同一符号を付してその説明を省略する。
【００３９】
次に本実施形態の作用について説明するが、ここでは第１実施形態と異なる点について説明する。
化粧用固形パウダ９が費消されて中皿Ｌの交換が必要になった場合には、中枠Ｏ又は弾性連結筒Ｐを反時計方向へ回動させればよく、すると係合脚３１の前部脚部分３１ａが抜出し阻止溝２２から離脱して回動制限長孔２３の狭幅部から広幅部へ移動するため、中枠Ｏの抜き出しが可能となる。この状態から中枠Ｏを上方へ抜き出すことにより中枠Ｏを基筒Ｊから取り外すことができる。
【００４０】
中皿Ｌの交換後、カッタ付き回動ドラムＭの底板１１を化粧用固形パウダ９上へ載置させ、付勢バネ７の付勢力に抗して弾性連結筒Ｐを押し下げることにより中枠Ｏの係合脚３１を回動制限長孔２３へ挿通させて中枠Ｏを時計方向へ回動させると、上記の如くして中枠Ｏは基筒Ｊに対し、抜出し不能かつ時計方向へ回動不能に固定される。
【００４１】
一方、弾性連結筒Ｐは中枠Ｏに対して回動可能であるから、弾性連結筒Ｐを時計方向へ回動させてカッタ付き回動ドラムＭを回動させることにより化粧用固形パウダ９を粉末化させることができる。
【００４２】
【発明の効果】
請求項１記載の化粧用コンパクト容器は、基筒周壁又は支持皿周壁の一方に係合ピンを、また他方に該係合ピンが係合自在な軸方向及び周方向の孔又は溝を設けて支持皿の回り止めのための係合ピンを支持皿の上昇抑えに利用すると共に、カッタ付き回動ドラムの回動により上昇抑え位置に位置する係合ピンの係合を自動的に解除させるようにしたので、化粧用固形パウダ入り中皿の交換に伴う操作が簡素な構成により容易に行える。
【００４３】
請求項２記載の化粧用コンパクト容器は、容器体に抜出し阻止溝を、また基筒に回動制限長孔を形成すると共に、中枠に係合脚を形成し、中枠の回動によりカッタ付き回動ドラムの装着及び離脱を行うようにしたので、該回動ドラムの下方に位置する化粧用パウダ入り中皿の交換が簡素な構成で容易に行える。
【００４４】
請求項１及び２記載の化粧用コンパクト容器は、カッタを有する回動自在なカッタ付き回動ドラムを容器内に設けたので、粉末パウダを使用することなく、固形パウダを使用することができ、したがってパウダ漏出防止対策に腐心する必要がない。
また、カッタ付き回動ドラム内にパフを載置させることにより粉末化されたパウダが自動的に付着するため、従来のようにパフを固形パウダに擦りつける必要がなく、したがってパフの使用が容易である。
【００４５】
さらに、カッタ付き回動ドラムの回動により固形パウダを粉末化するので、過不足ない所要量の粉末状のパウダを得ることができ、したがって適当量の粉末状のパウダをパフに付着させることができる。
さらに、カッタ付き回動ドラムの底板に径方向の細長孔を形成したので、底板上にパフを載置した状態で削りドラムを回動させればパフ全面にほぼ均一に粉末状のパウダが付着することとなり、したがって上記と相まってパフの使用が容易になる。
【００４６】
さらに、化粧用固形パウダ入り中皿を上方付勢したので、パウダ消費に起因するパウダ面の低下にもかかわらず常時パウダ上面がカッタに所定の押付け力をもって押し当てられ、したがってパウダがほぼ一定の割合で確実に削られる。
【図面の簡単な説明】
【図１】本発明に係る化粧用コンパクト容器の第１実施形態の要部断面図である。
【図２】同じく、中皿を取り出した容器内部を示す斜視図である。
【図３】同じく、付勢バネの斜視図である。
【図４】同じく、付勢バネの斜視図である。
【図５】同じく、第２実施形態に係る化粧用コンパクト容器を示すもので、図６に示す容器を閉蓋した状態でのＸ−Ｘ線に沿う断面図である。
【図６】同じく、中皿とカッタ付き回動ドラムを取り出した容器内部を示す斜視図である。
【符号の説明】
１  周壁
４  縦長孔
５  横孔
６  係合ピン
１２  細長孔
１４  枠体
１５  枠孔
１６  係合突条
１８  係合溝
２２  抜出し阻止溝
２３  回動制限長孔
２７  枠体
２８  枠孔
２９  係合突条
Ａ  容器体
Ｂ  基筒
Ｃ  支持皿
Ｄ  中皿
Ｅ  カッタ付き回動ドラム
Ｆ  中枠
Ｇ  弾性連結筒
Ｈ  蓋体
Ｉ  容器体
Ｊ  基筒
Ｋ  支持皿
Ｌ  中皿
Ｍ  カッタ付き回動ドラム
Ｏ  中枠
Ｐ  弾性連結筒
Ｑ  蓋体
【図１】
0003761115.tif 000002
【図２】
0003761115.tif 000003
【図３】
0003761115.tif 000004
【図４】
0003761115.tif 000005
【図５】
0003761115.tif 000006
【図６】
0003761115.tif 000007